(57)【要約】【課題】  簡単な構成により、低コストで、しかも容易に作業することができるようにした、シートの組み付け構造を提供する。【解決手段】  座部と車室床面とを連結する支持アーム１１を備え、支持アームの一端を車室床面側で揺動可能に支持する足ブラケット１２を車室床面に対して仮置き手段１３を使用して位置決めするシートの組み付け構造であって、仮置き手段１３が、ただ一本の締付ボルト１５を受容する取付孔１３ａと、取付孔１３ａと同心状の外縁１３ｂとを備えており、足ブラケット１２の位置決め部１２ａを仮置き手段の外縁１３ｂに当接させることで足ブラケット１２を位置決めする。【選択図】  図１
2006240331.tif 000002
【特許請求の範囲】
【請求項１】
座部と、この座部と車室床面とを連結する支持アームと、を備え、この支持アームが揺動して座部が移動するシートにおいて、車室床面に設けた仮置き手段が前記支持アームの一端部を揺動可能に支持する足ブラケットを受けて、該足ブラケットの位置決めをするようにしたシートの組み付け構造であって、
前記仮置き手段は、取付孔と該取付孔と同心状に形成された外縁とを備えていて、一本の締付ボルトを該取付孔に受容して前記車室床面に取り付けられ、
前記仮置き手段の外縁に前記足ブラケットの位置決め部が当接することにより、前記足ブラケットが位置決めされることを特徴とする、シートの組み付け構造。
【請求項２】
前記足ブラケットを押さえるフランジ部が前記仮置き手段の外縁から延設していることを特徴とする、請求項１に記載のシートの組み付け構造。
【請求項３】
前記足ブラケットの位置決め部が、前記仮置き手段を受容する切欠部として構成されていることを特徴とする、請求項１または２に記載のシートの組み付け構造。
【請求項４】
座部と、この座部と車室床面とを連結する支持アームと、を備え、この支持アームが揺動して座部が移動するシートにおいて、前記支持アームの一端を車室床面側で揺動可能に支持する足ブラケットを車室床面に対して仮置き手段を使用して位置決めするようにしたシートの組み付け方法であって、
前記仮置き手段が、一本の締付ボルトを受容する取付孔とこの取付孔と同心状の外縁とを備えており、
車室床面上の所定位置に位置決めされた前記仮置き手段の取付孔に締付ボルトを挿入して締め付けることにより、前記仮置き手段を車室床面に固定保持して、
車室床面に固定保持された前記仮置き手段の外縁に対して、前記足ブラケットの位置決め部を当接させて、前記足ブラケットを位置決めした後、前記足ブラケットを車室床面に対して固定保持することを特徴とする、シートの組み付け方法。
【発明の詳細な説明】
【技術分野】
【０００１】
本発明は、自動車のシートの組み付け構造及び組み付け方法に関するものである。
【背景技術】
【０００２】
従来、可動式格納シートは、例えば図３に示すように構成されている。図３に示す可動式格納シート１は、座部２と背当て部３とを含んでおり、座部２が、自動車の車室床面４に対して支持アーム５を介して支持されており、この支持アーム５の両端の支持軸５ａ，５ｂがそれぞれ車室床面４及び座部２に対して揺動可能に枢支されている。なお、図に示すように、車室床面４は、階段状に構成されており、具体的には、下フロア面４ａと、下フロア面４ａより高い位置に在る上フロア面４ｂと、下フロア面４ａと上フロア面４ｂとを結ぶ傾斜面４ｃと、を備えている。
【０００３】
支持アーム５の揺動によって、座部２は車室床面４に対して平行移動して、下フロア面４ａ上の格納位置（符号Ａ）から上方へ引き出されて上フロア面４ｂ上に載置した使用位置（符号Ｂ）まで移動することができる。
さらに、座部２は、使用位置Ｂに在るとき、その下面に設けられたロック部２ａが、上フロア面４ｂ上に備えられた係合部４ｂ１と係合することにより、使用位置Ｂにロックされ得るようになっている。
【０００４】
背当て部３は、その下端付近が座部２の後端付近に対して揺動可能に支持されており、座部２に当接するように前方に倒伏することができるようになっている。
【０００５】
このような構成の可動式格納シート１によれば、使用時には、座部２が下フロア面４ａから引き上げられて、そのロック部２ａが係合部４ｂ１と係合することにより、使用位置Ｂに固定保持される。また、格納時には、座部２のロック部２ａが係合部４ｂ１から解放されて、座部２を下フロア面４ａ上の格納位置Ａに移動させると共に、背当て部３を前方に倒伏させる。
【０００６】
ところで、支持アーム５は、その車室床面側の支持軸５ａが足ブラケット６に枢支されて足ブラケット６に対して揺動可能に構成されており、この足ブラケット６が車室床面４の所定位置に、図示例では下フロア面４ａ寄りの傾斜面４ｃ上に固定保持されている。
ここで、可動式格納シート１を車室内へ組み付ける際には、まず組み付け基準として、座部２のロック部２ａを係合部４ｂ１に係合した状態で、支持アーム５の下端に取り付けられた足ブラケット６の傾斜面４ｃ上での位置に対して、図４で示すように、前もって車室床面４の傾斜面４ｃに取り付けた仮置きブラケット７に、足ブラケット６の位置決め用切欠部６ａを当接することにより、足ブラケット６を位置決めするようにしている。
【０００７】
この仮置きブラケット７は、車室床面４の傾斜面４ｃに対して、図４で示すように、二本の締付ボルト８ａ，８ａにより、あるいは図５で示すように、二箇所のスポット溶接８ｂ，８ｂにより固定される。
このようにして車室床面４に取り付けられた仮置きブラケット７に対して、足ブラケット６を当接させて位置決めした状態で、図６に示すように足ブラケット６を締付ボルト９を用いて車室床面４に対して固定保持する。これにより、足ブラケット６が高精度で車室床面４に対して位置決めされ、確実に固定保持される。
【０００８】
これに対して特許文献１においては、車両用シートフレームの組立方法が開示されている。この組立方法によれば、フレームベース部材及びフレーム構成部材にばか孔を設けておき、これらのばか孔を介して止めネジによりフレームベース部材及びフレーム構成部材を互いに組み付け形状に仮止めした状態で、溶接により一体接合するようにしている。
【特許文献１】特開２００４−３５９１８６号公報
【発明の開示】
【発明が解決しようとする課題】
【０００９】
ところで、上述した可動式格納シート１においては、可動式格納シート１を車室内に組み付ける際に、前もって仮置きブラケット７を車室床面４に対して位置決めして固定しているが、この仮置きブラケット７は、足ブラケット６に対して確実に位置決めするために、横方向に長く形成されており、前述したように、二本の締付ボルト８ａ，８ａあるいは二箇所のスポット溶接８ｂ，８ｂにより、車室床面４に対して固定保持するようにしている。
【００１０】
このため、仮置きブラケット７は、比較的大型になると共に、方向性を有していることから、例えば締付ボルト８ａ，８ａによる締付けの際に、締付ボルト８ａ，８ａの回転に伴って仮置きブラケット７が回転しないように押さえておく必要がある。
したがって、作業者は、片手で仮置き部ブラケット７を押さえながら、他方の手で締付ボルト８ａ，８ａを締め付ける必要があり、作業性が悪い。
さらに、仮置きブラケット７が僅かに回転して、水平方向からズレが生じて斜めに傾斜して取り付けられてしまうこともあり、その場合には、足ブラケット６の取付精度にバラツキが発生することになってしまう。
【００１１】
これに対して、特許文献１による組立方法では、可動式格納シートの足ブラケットを仮止めするものではなく、本発明とは目的及び構成が異なるものである。
【００１２】
本発明は、以上の点にかんがみて、簡単な構成により、低コストで、しかも容易に作業することができるようにした、シートの組み付け構造及び組み付け方法を提供することを目的としている。
【課題を解決するための手段】
【００１３】
上記目的を達成するために、本発明は、座部とこの座部および車室床面を連結する支持アームとを備え、支持アームが揺動して座部が移動するシートにおいて、車室床面に設けた仮置き手段が支持アームの一端部を揺動可能に支持する足ブラケットを受けてこの足ブラケットの位置決めをするシートの組み付け構造であって、仮置き手段は、取付孔とこの取付孔と同心状に形成された外縁とを備えていて、一本の締付ボルトを取付孔に受容して車室床面に取り付けられ、仮置き手段の外縁に足ブラケットの位置決め部が当接することにより足ブラケットが位置決めされることを特徴としている。なお、仮置き手段として、例えば、円筒状のブラケットを利用することができる。
【００１４】
本発明による可動式格納シートの組み付け構造においては、好ましくは、足ブラケットを押さえるフランジ部が仮置き手段の外縁から延設している。
【００１５】
本発明による可動式格納シートの組み付け構造は、好ましくは、足ブラケットの位置決め部が、仮置き手段を受容する切欠部として構成されている。
【００１６】
また、上記目的を達成するために、本発明は、座部とこの座部および車室床面とを連結する支持アームとを備え、支持アームが揺動して座部が移動するシートにおいて、支持アームの一端を車室床面側で揺動可能に支持する足ブラケットを車室床面に対して仮置き手段を使用して位置決めするシートの組み付け方法であって、仮置き手段が、一本の締付ボルトを受容する取付孔とこの取付孔と同心状の外縁とを備えており、車室床面上の所定位置に位置決めされた仮置き手段の取付孔に締付ボルトを挿入して締め付けることにより、仮置き手段を車室床面に固定保持して、車室床面に固定保持された仮置き手段の外縁に対して足ブラケットの位置決め部を当接させて、足ブラケットを位置決めした後、足ブラケットを車室床面に対して固定保持することを特徴としている。
【発明の効果】
【００１７】
上記構成によれば、前もって車室床面の所定位置に対して仮置き手段がただ一本の締付ボルトにより締め付けられて固定される。その後、この仮置き手段に対して、足ブラケットの位置決め部を当接させた状態で、足ブラケットを締付ボルトにより車室床面に対して固定保持する。これにより、足ブラケットが車室床面に対して正確に位置決めされ、確実に固定保持される。
【００１８】
この場合、仮置き手段の外縁は、その締付ボルト用の取付孔に関して同心状の円形に形成されていることから、方向性を備えていない。このため、締付ボルトを締め付けたときに仮置き手段が回転したとしても、仮置き手段の外縁の向きのずれを生じない。このため、締付ボルトの締付けの際に、作業者は仮置き手段を片手で押さえておく必要はなく、作業性が改善されることになる。
また、仮置き手段が取付孔と同心状の円形であり、一本の締付ボルトにより車室床面に対して固定されることから、仮置き手段自体が小型に構成されると共に、部品点数が少なくて済み、小型軽量に構成され、さらに組み付け作業が単純化され得ることになる。
【００１９】
仮置き手段が、足ブラケットを上から押さえるフランジ部を備えている場合には、仮置き手段による足ブラケットの位置決めの際に、仮置き手段のフランジ部が足ブラケットの位置決め部付近を押さえて、足ブラケットの車室床面からの浮上りを防止することになり、足ブラケットが確実に位置決めされることになる。
【００２０】
足ブラケットの位置決め部が、仮置き手段を受容する切欠部として構成されている場合には、足ブラケットの位置決めの際に、仮置き手段の外縁が、足ブラケットの位置決め部の切欠部内に嵌入することによって、足ブラケットが位置決め部の長手方向に沿った横方向に関しても確実に位置決めされる。
【００２１】
本発明によれば、足ブラケットを位置決めするための仮置き手段が、円形の外縁を有しており、ただ一本の締付ボルトにより車室床面に対して固定されるので、小型軽量に構成されると共に、容易にそして迅速に組み付けが行なわれることになる。
【発明を実施するための最良の形態】
【００２２】
以下、図面に基づいて本発明の実施形態を説明する。
図１は、本発明の一実施形態に係る可動式格納シートの組み付け構造を示している。本発明の実施形態に係る可動式格納シート１０は全体として図３に示した可動式格納シート１と同様の構成であり、図１においては、可動式格納シート１０の要部としての支持アーム１１の下端付近及び足ブラケット１２、そして仮置き手段１３のみが示されている。支持アーム１１は、図３に示した可動式格納シート１における支持アーム５と同じ構成であり、支持アーム１１の両端の支持軸がそれぞれ車室床面及び座部に対して揺動可能に枢支されている。図示では、支持アーム１１の一方の支持軸１１ａのみを示しており、座部に連結した支持軸は図示省略されている。なお、本実施例においても、車室床面１４（図２（Ａ）参照）が、下フロア面と下フロア面より高い位置に在る上フロア面と下フロア面と上フロア面とを結ぶ傾斜面とを備えて階段状に構成されていることは、図３に従来例として示した構造と同様とする。
【００２３】
足ブラケット１２は、この場合、図２に示すように、長手方向に関して比較的短い切欠部として形成された位置決め部１２ａを備えている。
これに対して、仮置き手段１３は、ただ一本の締付ボルトを受容する一つの取付孔１３ａを備えている。さらに、仮置き手段１３には、取付孔１３ａと同心状の円形の外縁１３ｂが形成されている。この外縁１３ｂからは、浮き上がったフランジ部１３ｃが延設されている。
これにより、仮置き手段１３は、図３に示した可動式格納シート１における仮置きブラケット７と比較して、全体が小型の円形、具体的には盃状に形成されている。
【００２４】
本発明実施形態による可動式格納シートの組み付け構造は、以上のように構成されており、可動式格納シート１０の車室内への組み付けの際には、まず前もって仮置き手段１３が、図２に示すように車室床面１４上の所定位置、本実施例では傾斜面に持ち来され、その取付孔１３ａ内に締付ボルト１５が挿通され、締め付けられることにより、車室床面１４に固定保持される。
【００２５】
この場合、仮置き手段１３が取付孔１３ａを中心とした回転対象に形成されていることから、即ち、輪郭形状が円形の外縁１３ｂで方向性を備えていないので、締付ボルト１５の締付けによって仮置き手段１３が多少回転したとしても、外縁１３ｂの位置が実質的にずれることがない。
従って、作業者は、締付ボルト１５の締付けの際に、仮置き手段１３を押さえる必要はなく、片手で作業を行なうことができる。
【００２６】
その後、この仮置き手段１３の外縁１３ｂに対して、足ブラケット１２の位置決め部１２ａを当接させる。これにより、足ブラケット１２が正確に位置決めされると共に、仮置き手段１３のフランジ部１３ｃが足ブラケット１２の位置決め部１２ａ付近の表面に覆い被さることにより、足ブラケット１２が仮置き手段１３に対して浮上りが防止され、確実に保持されることになる。
【００２７】
そしてこの状態で、組み付け基準として、従来技術を示す図３に描いているように、座部２のロック部２ａが係合部４ｂ１に係合された状態で、図１に示すように、支持アーム１１の下端に枢支された足ブラケット１２を、締付ボルト１６により車室床面１４に対して固定保持する。これにより、足ブラケット１２が高精度で車室床面１４に対して位置決めされ、確実に固定保持される。このようにして、可動式格納シート１０が車室床面１４に対して組み付けられることになる。
【００２８】
この場合、仮置き手段１３が取付孔１３ａと同心状の円形であり、一本の締付ボルト１５により車室床面１４に対して固定されるので、仮置き手段１３自体が小型・軽量に構成され得ると共に、締付ボルト１５も一本でよいことから、部品点数が少なくて済み、全体として小型軽量に構成され、部品コスト及び組立コストが低減されることになる。
また、仮置き手段１３の締付作業が片手で可能であることから、組み付け作業が単純化され、作業性が向上する。
【００２９】
さらに、足ブラケット１２の位置決め部１２ａの切欠形状と、仮置き手段１３を共通化することによって、各車種における可動式格納シートのための足ブラケットの位置決め作業に汎用性を持たせることができる。その際、仮置き手段１３が小型に形成されているので、仮置き手段１３のための取付スペースの制約が低減されることになる。
【００３０】
以上説明したが、本発明は、様々な形態で実施することができる。例えば、上述した実施形態においては、仮置き手段１３はフランジ部１３ｃを備えているが、このフランジ部１３ｃは必ずしも必須ではない。
また、足ブラケット１２を固定保持する箇所は、図３に示すように、車室床面１４の傾斜面上に限らず、下フロア面上であっても良い。
【図面の簡単な説明】
【００３１】
【図１】本発明によるシートの組み付け構造の一実施形態の構成を示す要部斜視図である。
【図２】図１のシートの組み付け構造における足ブラケットの仮置き手段への係合状態を示し、（Ａ）は部分拡大平面図、（Ｂ）は断面図である。
【図３】従来の可動式格納シートの組み付け構造の一例の構成を示す概略側面図である。
【図４】図３の可動式格納シートの組み付け構造における足ブラケットの仮置きブラケットへの係合状態を示し、（Ａ）は部分拡大平面図、（Ｂ）は断面図である。
【図５】図３の可動式格納シートの組み付け構造における足ブラケットの仮置きブラケットへの係合状態の他の構成を示すもので、（Ａ）は部分拡大平面図、（Ｂ）は断面図である。
【図６】図３の可動式格納シートの組み付け構造における足ブラケットと仮置きブラケットの関係を示す部分拡大斜視図である。
【符号の説明】
【００３２】
１０    シート
１１    支持アーム
１２    足ブラケット
１３    仮置き手段
１３ａ  取付孔
１３ｂ  仮置き手段の外縁
１３ｃ  フランジ部
１４    車室床面
１５    締付ボルト
１６    締付ボルト
【図１】
2006240331.tif 000003
【図２】
2006240331.tif 000004
【図３】
2006240331.tif 000005
【図４】
2006240331.tif 000006
【図５】
2006240331.tif 000007
【図６】
2006240331.tif 000008